(57)【要約】【課題】高速再生の更なる高速化の為に、供給側リールの回転負荷を小さくすると、リールハブの巻径によっては、磁気テープを磁気ヘッドで信号を読み込む為に十分なテープテンションが得られず、画面にノイズが入る。【解決手段】供給側リール６に負荷を付加しない第１の高速再生モードと供給側リール６に負荷を付加する第２の高速再生モードを設け、供給側リールハブの巻径に応じて２つのモードを切換え、テープテンションの大きい巻径では第１の高速再生モード、テープテンションの小さい巻径では第２の高速再生モードで走行させることにより、どの巻径でも、磁気ヘッドに磁気テープを安定して添接させて信号を読み込むことができ、且つ、磁気テープやキャプスタンモータ２への負担少なく高速で磁気テープを送ることができるテープテンションを得られる。【選択図】  図１
2004310959.tif 000002
【特許請求の範囲】
【請求項１】
磁気テープに映像および音声信号の記録再生を行う回転ヘッドドラムと、前記磁気テープを巻回する一対の供給側リールハブと巻取側リールハブとを内蔵したカセットの前記巻取側リールハブを拘持する巻取側リールと、前記供給側リールハブを拘持する供給側リールと、前記供給側リールに負荷を付加する供給側リール負荷付加手段と、前記供給側リールに前記供給側リール負荷付加手段により負荷を付加しない第１の高速再生モードと前記供給側リールに前記供給側リール負荷付加手段により負荷を付加する第２の高速再生モードの両方のモードで磁気テープを走行させるテープ駆動手段と、前記供給側リールハブの巻径を検出する巻径検出手段と、前記供給側リール軽負荷付加手段を動作させてメカニズムのモードを移行するモード移行手段と、前記テープ駆動手段及び前記モード移行手段の制御を行うメカニズム制御手段とを備え、
高速再生時、前記供給側リールハブの巻径に応じて、第１の高速再生モードと第２の高速再生モードの間をモード移行することを特徴とする磁気記録再生装置。
【請求項２】
供給側リール負荷付加手段は、複数の負荷を設定できることを特徴とする請求項１記載の磁気記録再生装置。
【請求項３】
供給側リール負荷付加手段は、第１の高速再生モードの時は供給側リールに第１の負荷を付与し、第２の高速再生モードの時は前記第１の負荷よりも小さい負荷である第２の負荷を付与することを特徴とする請求項１記載の磁気記録再生装置。
【発明の詳細な説明】
【０００１】
【発明の属する技術分野】
本発明は、磁気テープをテープカセットより引き出してカセット外部に位置する磁気ヘッドに添接走行させて信号を記録再生するビデオテープレコーダ等の磁気記録再生装置に関するものである。
【０００２】
【従来の技術】
近年、記録再生媒体としてアクセス速度の有利なディスクが伸びてきている中、磁気テープについても、磁気テープの早送り再生を更に高速化して使いやすさを改善する事が求められている。従来から磁気テープの早送り再生方式には、２つの方式があり、１つは、ピンチローラをキャプスタンモータの軸に圧着させて磁気テープを送る再生モードにおいて、キャプスタンモータの回転数を上げることで磁気テープの走行速度を上げて再生する方式である。もう一つは、ピンチローラをキャプスタンモータの軸に圧着させない状態で、キャプスタンモータでリールを回転させてテープを走行させる早送り／巻戻しモードにおいて、磁気テープを高速走行中に磁気ヘッドで信号を読み込む方式で、より高速での再生が可能であり、以下この方式を高速再生と呼ぶ。
【０００３】
以下に従来の磁気記録再生装置について説明する。
【０００４】
従来の磁気記録再生装置における高速再生時の構成を示すブロック図を図７に示す。なお、出願人は特許文献１に開示されている磁気記録再生装置のリール台制動機構を認識しているが、本発明の課題を明確にするために、先行技術として認識しているが文献公知としては認識していない図７に示す磁気記録再生装置を従来例として説明する。
【０００５】
図７において、１は磁気テープに映像および音声信号の記録再生を行う回転ヘッドドラム、２はキャプスタンモータ、３はキャプスタンモータ２の回転数を制御するキャプスタンモータ制御手段、４はキャプスタンモータ２の回転をベルトや歯車を介して後述する巻取側リールに伝達するリール駆動手段、５は磁気テープの一端が巻かれたカセット内の巻取側リールハブを拘持してキャプスタンモータ２の回転がリール駆動手段４により伝達されて回転することで磁気テープを巻取る巻取側リール、６は磁気テープの他端が巻かれたカセット内の供給側リールハブを拘持して巻取側リール５の回転により磁気テープが走行する時に巻取側リール５に磁気テープを供給する供給側リール、７は供給側リール６に負荷を付加する供給側リール負荷付加手段である。
【０００６】
以上のように構成された従来の磁気記録再生装置について、その高速再生動作を図７を用いて説明する。
【０００７】
まず、キャプスタンモータ２はキャプスタンモータ制御手段３で制御されながら高速で回転し、その回転がリール駆動手段４であるベルトや歯車により巻取側リール５に伝達され、巻取側リール５が回転して磁気テープを供給側リール６から巻取る。磁気テープは、回転ヘッドドラム１に所定の角度巻回され、回転ヘッドドラム１に設けられた磁気ヘッドに添接して走行する。そして、走行中に磁気ヘッドにより磁気テープに記録されている信号を読み取る。
【０００８】
なお、高速再生時は、供給側リール６には供給側リール負荷付加手段７により軽負荷が付加されている。これは、回転ヘッドドラム１に設けられた磁気ヘッドで磁気テープに記録された磁気記録信号を読み込むためには、磁気テープを適度な力で磁気ヘッドに添接させる必要があり、そのためには、適度なテープテンションが必要となり、そのために、供給側リール６に軽負荷を付加することで、適度なテープテンションを得ている。
【０００９】
【特許文献１】
実開昭５７−１５２６３８号公報
【００１０】
【発明が解決しようとする課題】
しかしながら上記の従来の構成では、供給側リールハブの巻径が小さく巻取側リールハブの巻径が大きい時は、巻径比の関係から、高速再生中のテープテンションが大きくなり、それに伴って走行負荷が大きくなって、キャプスタンモータ２に大きな回転トルクが必要になることや、テープテンションの大きい状態で、高速でテープを走行させることによりテープ走行規制部品によるテープダメージ発生が起こりやすくなるという問題点を有していた。
【００１１】
また、磁気テープの高速早送り／巻戻し動作も同じモードで走行させる場合、テープテンションが大きいと早送り／巻戻しの速度も速くすることができないという問題点を有していた。
【００１２】
また、磁気テープを高速で走行させるために、供給側リール６に供給側リール負荷付加手段７で負荷を付加しないと、特に、供給側リールハブの巻径が大きく巻取側リールハブの巻径が小さい時は、巻径比の関係から、テープテンションが小さくなり、磁気ヘッドで磁気記録信号を読み込むことができず、大きな画面ノイズが発生するという問題点を有していた。
【００１３】
本発明は上記従来の問題点を解決するもので、高速再生中は、リールの巻径に関わらず、磁気テープを磁気ヘッドに安定して添接して、磁気記録信号を読み込んで画面ノイズを小さくすることができるテープテンションで、且つ、磁気テープやキャプスタンモータに大きな負担なく高速でテープを走行できるテープテンションを得ることができる磁気記録再生装置を提供することを目的とする。
【００１４】
【課題を解決するための手段】
この目的を達成するために本発明の磁気記録再生装置は、磁気テープに映像および音声信号の記録再生を行う回転ヘッドドラムと、磁気テープを巻回する一対の供給側リールハブと巻取側リールハブとを内蔵したカセットの巻取側リールハブを拘持する巻取側リールと、供給側リールハブを拘持する供給側リールと、供給側リールに負荷を付加する供給側リール負荷付加手段と、供給側リールに供給側負荷付加手段により負荷を付加しない第１の高速再生モードと供給側リールに供給側負荷付加手段により負荷を付加する第２の高速再生モードの両方のモードで磁気テープを走行させるテープ駆動手段と、供給側リールハブの巻径を検出する巻径検出手段と、供給側負荷付加手段を動かしてメカニズムのモードを移行するモード移行手段と、テープ駆動手段及びモード移行手段の制御を行うメカニズム制御手段とを備え、高速再生において、供給側リールハブの巻径に応じて、第１の高速再生モードと第２の高速再生モードの間をモード移行することを特徴とする構成を有している。
【００１５】
この構成によって、高速再生中は、リールの巻径に関わらず、磁気テープを磁気ヘッドに安定して添接して、磁気記録信号を読み込んで画面ノイズを小さくすることができるテープテンションで、且つ、磁気テープやキャプスタンモータに大きな負担なく高速でテープを走行できるテープテンションを得ることができる。
【００１６】
【発明の実施の形態】
本発明の請求項１及び３に記載の発明は、磁気テープに映像および音声信号の記録再生を行う回転ヘッドドラムと、磁気テープを巻回する一対の供給側リールハブと巻取側リールハブとを内蔵したカセットの巻取側リールハブを拘持する巻取側リールと、供給側リールハブを拘持する供給側リールと、供給側リールに負荷を付加する供給側リール負荷付加手段と、供給側リールに供給側負荷付加手段により負荷を付加しない第１の高速再生モードと供給側リールに供給側負荷付加手段により負荷を付加する第２の高速再生モードの両方のモードで磁気テープを走行させるテープ駆動手段と、供給側リールハブの巻径を検出する巻径検出手段と、供給側負荷付加手段を動かしてメカニズムのモードを移行するモード移行手段と、テープ駆動手段及びモード移行手段の制御を行うメカニズム制御手段とを備え、高速再生において、供給側リールハブの巻径に応じて、第１の高速再生モードと第２の高速再生モードの間をモード移行することを特徴としたものであり、供給側リールハブの巻径に応じて、テープテンションが小さい時は、第２の高速再生モードで供給側リールに負荷を付加しながら磁気テープを走行させることでテープテンションを上げ、また、供給側リールに負荷を付加しなくても磁気ヘッドで信号を読み込む為に十分なテープテンションを得られる巻径の時は、テープテンションが増えることによるテープダメージといった磁気テープへの負担とキャプスタンモータの負荷電流上昇といったキャプスタンモータへの負担を小さくする為に、第１の高速再生モードにモード移行して磁気テープを走行させることで、高速再生中は、リールの巻径に関わらず、磁気テープを磁気ヘッドに安定して添接できるテープテンションを得られ、磁気ヘッドで信号を安定して読み込むことができ、且つ、磁気テープやキャプスタンモータへの負担が小さく高速で磁気テープを走行できるという作用を有する。
【００１７】
本発明の請求項２に記載の発明は、供給側リール負荷付加手段は、複数の負荷を設定できることを特徴としたものであり、供給側リール負荷付加手段は高速再生動作時と動作停止時に用いるが、１つの負荷しか設定できない負荷付加手段を使う場合、負荷を大きく設定すると、高速再生時のテープテンションが必要以上に大きくなり磁気テープにテープダメージが入ることやキャプスタンモータの負荷電流が増えるといった副作用が発生し、逆に、負荷を小さく設定すると、高速再生動作の停止時に磁気テープが停止するまでの時間が長くなるという副作用が発生するため、負荷の大きい第１の負荷付加手段と負荷の小さい第２の負荷付加手段を設けることにより、高速再生動作の停止時には負荷の大きい第１の負荷付加手段を使用することで、高い停止性能を得られ、高速再生時には負荷の小さい第２の負荷付加手段を使用することにより、テープテンションを必要最小限だけ上げることができるという作用を有する。
【００１８】
以下、本発明の実施の形態について、図１から図６を用いて説明する。
【００１９】
（実施の形態１）
図１は本発明の実施の形態１における磁気記録再生装置の高速再生時の構成を示すブロック図であり、同図において従来と同一の構成要素には同一番号を付与し説明を省略する。
【００２０】
図１において、８は供給側リール負荷付加手段７を動かしてメカニズムのモードを移行させるモード移行手段で、例えばモータと歯車とレバーによって構成される。９はモード移行手段８を動かす指令を出してメカニズムのモードを制御するモード制御手段である。キャプスタンモータ制御手段３及びモード制御手段９はマイクロコンピューターの中で構成される。１０は供給側リールハブの巻径を検出する巻径検出手段である。
【００２１】
本実施の形態１では、磁気テープの高速再生を行うメカニズムのモードは２つあり、第１の高速再生モードでは、供給側リール負荷付加手段７により供給側リール６に負荷を付加しない状態で磁気テープの走行を行う。一方、第２の高速再生モードでは供給側リール負荷付加手段７により供給側リール６に負荷を付加した状態で磁気テープの走行を行う。
【００２２】
本実施の形態１における第１の高速再生モードの平面図を図２、第２の高速再生モードの平面図を図３に示す。また、高速再生動作から停止する時のメカニズムの停止モードの平面図を図４に示す。図２から図４において、図１と同一の構成要素には同一番号を付与し説明を省略する。
【００２３】
図２から図４において、１１は磁気テーブをカセットから引き出して回転ヘッドドラム１に所定の角度巻回させるテープガイド、１２はカセット、１３と１４について、本実施の形態１では供給側リール負荷付加手段７として負荷の大きい第１の供給側リール負荷付加手段と負荷の小さい第２の供給側リール負荷付加手段があり、１３は第１の供給側リール負荷付加手段、１４は第２の供給側リール負荷付加手段である。第１及び第２の供給側リール負荷付加手段１３及び１４は、図２〜図４に示すように、略「く」の字形状のレバーよりなるものであり、そのレバーの両端に供給側リール６に接触するようにブレーキパッドが装着されている。図示のように、第１の供給側リール負荷付加手段１３の方が接触面積が大きいものを用いることで、大きな制動力を発生するようにしている。
【００２４】
１５はノーマルオーディオ信号を記録再生する、及び磁気ヘッドで記録再生する信号の位相を合わせるために用いるコントロール信号を記録／検出するオーディオ・コントロールヘッド、１６は磁気テープ、１７はピンチローラ、１８はキャプスタンモータ軸、１９は巻取側リール負荷付加手段であり、図１には特に図示していない。図２から図４は高速早送り再生の状態を示しており、高速巻戻し再生時は、巻取側リールハブと供給側リールハブが入れ替わる。
【００２５】
マイクロコンピュータの中で構成されるモード制御手段９について、その動作のフローチャートを図５に示す。図５において、２０は供給側リール６に巻かれている磁気テープ１６の巻径を検出する巻径検出ステップ、２１は巻径比較基準値Ｔの入力を行う巻径比較基準値入力ステップ、２２は検出した巻径Ｄが巻径比較基準値Ｔより大か否かを判別する巻径比較ステップ、２３は第１の高速再生モードへ移行するためのモード移行指令を出力する第１のモード移行指令ステップ、２４は第２の高速再生モードへ移行するためのモード移行指令を出力する第２のモード移行指令ステップである。
【００２６】
また、供給側リール６の巻径位置と第２の供給側リール負荷付加手段１４の動作状態、及びテープテンションの関係を示した図を図６に示す。図６において、横軸は供給側リール６の巻径、縦軸は第２の供給側リール負荷付加手段１４の動作状態とテープテンションを示している。また、磁気ヘッドで磁気テープ１６に記録された磁気記録信号を読み込む為に必要なテープテンションを点線で示している。
【００２７】
以上のように構成された磁気記録再生装置について、図１から図６を用いて、その高速再生動作を説明する。
【００２８】
まず、キャプスタンモータ２がキャプスタンモータ制御手段３によって回転数を制御されながら回転し、リール駆動手段４を介して、巻取側リール５に回転を伝達する。ピンチローラ１７は、キャプスタンモータ軸１８には圧着されずに、巻取側リール５の回転によって、供給側リールハブから磁気テープ１６を巻取る事によって走行する。磁気テープ１６はテープガイド１１によってカセット１２から引き出され所定の角度回転ヘッドドラム１に巻回されて走行し、磁気テープ１６に記録されている信号を回転ヘッドドラム１の磁気ヘッドで読み込みながらテープ走行する。
【００２９】
高速再生中、巻径検出ステップ２０では、巻径検出手段１０により検出される巻取側リール５及び供給側リール６の１回転する時間から供給側リールハブに巻かれている磁気テープの巻径Ｄが検出される。巻径検出手段１０でのリールの回転を検出する方法としては、例えば、リールに設けられたスリットが、フォトセンサが設けられた一箇所を通過したか否かで検出する方法がある。巻径比較基準値入力ステップ２１では、あらかじめ設定された巻径比較基準値Ｔを入力する。あらかじめ設定される巻径比較基準値Ｔは、第２の供給側リール負荷付加手段１４により負荷が付加されなくても、磁気テープ１６に記録された磁気記録信号を磁気ヘッドで検出できるテープテンションを得られる供給側リールハブの巻径を選定する。
【００３０】
巻径比較ステップ２２では、巻径検出ステップ２０で検出された巻径Ｄと巻径比較基準値Ｔとを比較し、Ｄ＜Ｔの場合は、第１のモード移行指令ステップ２３に進み、第２の供給側リール負荷付加手段をＯＦＦする指令を出す。また、Ｄ≧Ｔの場合は、第２のモード移行指令ステップ２４に進み、第２の供給側リール負荷付加手段１４をＯＮする指令を出す。
【００３１】
その後、モード制御手段８により出された指令により、モード移行手段８によりメカニズムのモードの移行が行われる。モード移行手段８としては、例えばモーターと歯車とレバーが用いられる。
【００３２】
第１の高速再生モードは、図２及び図６に示すように第２の供給側リール負荷付加手段１４がＯＦＦとなり、第２の供給側リール負荷付加手段１４は供給側リール６に当接されず、負荷は付加されない。巻取側リール５にも巻取側リール負荷付加手段１９によって負荷は付加されない。また、第２の高速再生モードは、図３及び図６に示すように第２の供給側リール負荷付加手段１４がＯＮとなり、第２の供給側リール負荷付加手段１４が供給側リールに当接され負荷が付加される。巻取側リール５には巻取側リール負荷付加手段１９によって負荷は付加されない。
【００３３】
第２の供給側リール負荷付加手段１４の負荷は、供給側リールハブに巻かれたテープ巻径が最大の時に、走行中のテープテンションが、磁気ヘッドで磁気テープ１６に記録された磁気記録信号を読み込むことができるテープテンション以上になるように設定する。図６に示すように、供給側リール６に巻かれたテープの巻径が最大からＴまでの間は、第２の高速再生モードでテープが走行し、供給側リール６に巻かれたテープの巻径がＴから最小までの間は、第１の高速再生モードでテープが走行する。
【００３４】
高速再生動作から停止する場合には、図４に示すように、供給側リール６には第１の供給側リール負荷付加手段１３により負荷が付加され、巻取側リール５には巻取側リール負荷付加手段１９により負荷が付加されて、磁気テープを停止させる。第１の供給側リール負荷付加手段１３と第２の供給側リール負荷付加手段１４及び巻取側リール負荷付加手段１９はモード移行手段８であるレバーによって動かされ、リールに当接される。第１の供給側リール負荷付加手段１３の負荷は第２の供給側リール負荷付加手段１４より大きく設定されている。これは、供給側リール負荷付加手段の負荷は大きいほど磁気テープが停止するまでの時間は短くなるためである。本実施の形態１のように２つの負荷を設定できる負荷付加手段を持つことにより、停止用負荷付加手段と高速再生用負荷付加手段に分けることができ、停止用負荷付加手段の負荷を大きくできる。
【００３５】
以上のように本実施の形態１によれば、高速再生する時のメカニズムのモードとして、供給側リール６に負荷を付加しない第１の高速再生モードと、供給側リール６に負荷を付加する第２の高速再生モードを設け、供給側リールハブの巻径に応じて、テープテンションの小さい巻径の時は、第２の高速再生モードで走行させ、テープテンションの大きい巻径の時は、第１高速再生モードで走行させることにより、どのリール巻径においても、磁気テープを磁気ヘッドに安定して添接できるテープテンションを得られ、磁気ヘッドで信号を安定して読み込むことができ、且つ、テープテンションの必要以上の増加を防ぐことができるため、磁気テープやキャプスタンモータへの負担を小さくでき、高速で磁気テープを走行できる。
【００３６】
また、供給側リール負荷付加手段７として、負荷の大きい第１の供給側リール負荷付加手段１３と負荷の小さい第２の供給側リール負荷付加手段１４を設け、動作停止用に第１の供給側リール負荷付加手段１３を使用し、高速再生用に第２の供給側リール負荷付加手段１４を使用することにより、動作停止時の停止時間を短くでき、且つ、高速再生時のテープテンションを必要最小限だけ上げ、磁気テープやキャプスタンモータへの負担を小さくできる。
【００３７】
なお、以上の説明での高速再生は、高速早送り再生についての説明であるが、高速巻戻し再生についても当てはまり、高速巻戻し再生時の供給側リールは図２から図４における巻取側リール５になり、巻取側リール負荷付加手段１９を複数の負荷を設定できる負荷付加手段とすればよい。
【００３８】
また、以上の説明では供給側リール負荷付加手段として負荷の異なる２つの負荷付加手段を別々に設けているが、１つの負荷付加手段で複数の異なる負荷を得られる負荷付加手段を用いてもよい。
【００３９】
また、以上の説明では供給側リールハブの巻径を検出しているが、巻取側リールハブの巻径を検出してもよい。
【００４０】
本発明は上記した実施の形態に限定されるものではない。
【００４１】
【発明の効果】
以上のように本発明によれば、高速再生時、リールの巻径に関わらず、磁気テープを磁気ヘッドに安定して添接して、磁気記録信号を読み込んで画面ノイズを小さくすることができ、且つ、磁気テープやキャプスタンモータに大きな負担なく高速でテープを走行することができるという優れた効果が得られる。
【図面の簡単な説明】
【図１】本発明の実施の形態１における磁気記録再生装置の高速再生時の構成を示すブロック図
【図２】本発明の実施の形態１における磁気記録再生装置の第１の高速再生モードの平面図
【図３】本発明の実施の形態１における磁気記録再生装置の第２の高速再生モードの平面図
【図４】本発明の実施の形態１における磁気記録再生装置の高速再生動作の停止モードの平面図
【図５】本発明の実施の形態１における磁気記録再生装置の動作説明のためのフローチャート
【図６】本発明の実施の形態１における磁気記録再生装置の動作説明のための特性図
【図７】従来の磁気記録再生装置の高速再生時の構成を示すブロック図
【符号の説明】
１  回転ヘッドドラム
２  キャプスタンモータ
３  キャプスタンモータ制御手段
４  リール駆動手段
５  巻取側リール
６  供給側リール
７  供給側リール負荷付加手段
８  モード移行手段
９  モード制御手段
１０  巻径検出手段
１１  テープガイド
１２  カセット
１３  第１の供給側リール負荷付加手段
１４  第２の供給側リール負荷付加手段
１５  オーディオ・コントロールヘッド
１６  磁気テープ
１７  ピンチローラ
１８  キャプスタンモータ軸
１９  巻取側リール負荷付加手段
２０  巻径検出ステップ
２１  巻径比較基準値入力ステップ
２２  巻径比較ステップ
２３  第１のモード移行指令ステップ
２４  第２のモード移行指令ステップ
【図１】
2004310959.tif 000003
【図２】
2004310959.tif 000004
【図３】
2004310959.tif 000005
【図４】
2004310959.tif 000006
【図５】
2004310959.tif 000007
【図６】
2004310959.tif 000008
【図７】
2004310959.tif 000009